(57)【要約】【課題】縦置きユニットを用いて多彩なプランニングを実現することができるユニット建物を得る。【解決手段】ユニット建物１０は、複数の建物ユニット２２を横置き状態で左右上下に据付けることにより構成されたユニット建物本体１２と、このユニット建物本体１２の側方に隣接して配置された縦置きユニット１４とを備えている。縦置きユニット１４は単一ユニットで構成され、内部にはユニット建物本体１２の床面と異なる高さに中間床１６が設置されている。従って、例えば上方スペース４２をロフトとして使用し、下方スペース４４を居室スペースとして利用するといったプランニングが可能になる。【選択図】図１
2007255070.tif 000002
【特許請求の範囲】
【請求項１】
複数の建物ユニットを横置き状態で据付けると共に建物高さ方向に積み上げて複数階建てに構築されたユニット建物本体と、
このユニット建物本体の側方に隣接して配置されると共に前記横置き状態の建物ユニットの単体の高さよりも高く構成され、更にユニット建物本体の床の高さと異なる任意の高さに床が設置された縦置きユニットと、
を有することを特徴とするユニット建物。
【請求項２】
複数の建物ユニットを横置き状態で据付けると共に建物高さ方向に積み上げて複数階建てに構築されたユニット建物本体と、
このユニット建物本体の側方に隣接して配置されると共に前記横置き状態の建物ユニットの単体の高さよりも高く構成され、更にユニット建物本体の床の高さと異なる任意の高さに中間床が設置された縦置きユニットと、
を有することを特徴とするユニット建物。
【請求項３】
前記縦置きユニット内に設置された中間床は、縦置きユニットの上面及び下面の少なくとも一方と略同一形状及び略同一面積に設定されている、
ことを特徴とする請求項２記載のユニット建物。
【請求項４】
複数の建物ユニットを横置き状態で据付けると共に建物高さ方向に積み上げて複数階建てに構築されたユニット建物本体と、
このユニット建物本体の側方に隣接して配置されると共に下端部に床を備え、かつ前記横置き状態の建物ユニットの単体の高さを基準にして非整数倍となる高さにユニット高さが設定された縦置きユニットと、
を有することを特徴とするユニット建物。
【請求項５】
前記縦置きユニットの下端部の床又は中間床は、ユニット建物本体の天井と床との略中間位置又はユニット建物本体を構成する建物ユニットの天井と床の略中間位置に配置されている、
ことを特徴とする請求項１乃至請求項４のいずれか一項に記載のユニット建物。
【請求項６】
前記縦置きユニットの下端部に配置された床はユニット建物本体における横置き状態の下階側の建物ユニットの床よりも建物上方側へ離間した位置に配置されており、
当該縦置きユニットの床の下方には収納スペースが設けられている、
ことを特徴とする請求項１乃至請求項５のいずれか一項に記載のユニット建物。
【請求項７】
前記縦置きユニットは、ユニット建物本体の側面に片持ち支持されている、
ことを特徴とする請求項１乃至請求項６のいずれか一項に記載のユニット建物。
【発明の詳細な説明】
【技術分野】
【０００１】
本発明は、縦置きユニットを用いたユニット建物に関する。
【背景技術】
【０００２】
下記特許文献１には、上下階を昇降するための階段を、床構造体と壁構造体と天井構造体とを接合して構成された専用の階段室ユニット内に設置する技術が開示されている。なお、階段室ユニットは、上下階に亘って連続する単一ユニットとされ、吹き抜けスペースを形成するようになっている。
【特許文献１】特開平８−１５８４８３号公報
【発明の開示】
【発明が解決しようとする課題】
【０００３】
しかしながら、上記特許文献１に開示された先行技術による場合、階段室ユニットの全体が階段の設置に供されるので、階段の設置以外の用途（例えば、居室スペース）がなく、多彩な住スペースを演出することができない。
【０００４】
本発明は上記事実を考慮し、縦置きユニットを用いて多彩なプランニングを実現することができるユニット建物を得ることが目的である。
【課題を解決するための手段】
【０００５】
請求項１の発明に係るユニット建物は、複数の建物ユニットを横置き状態で据付けると共に建物高さ方向に積み上げて複数階建てに構築されたユニット建物本体と、このユニット建物本体の側方に隣接して配置されると共に前記横置き状態の建物ユニットの単体の高さよりも高く構成され、更にユニット建物本体の床の高さと異なる任意の高さに床が設置された縦置きユニットと、を有することを特徴とする。
【０００６】
請求項２の発明に係るユニット建物は、複数の建物ユニットを横置き状態で据付けると共に建物高さ方向に積み上げて複数階建てに構築されたユニット建物本体と、このユニット建物本体の側方に隣接して配置されると共に前記横置き状態の建物ユニットの単体の高さよりも高く構成され、更にユニット建物本体の床の高さと異なる任意の高さに中間床が設置された縦置きユニットと、を有することを特徴とする。
【０００７】
請求項３の発明に係るユニット建物は、請求項２記載の発明において、前記縦置きユニット内に設置された中間床は、縦置きユニットの上面及び下面の少なくとも一方と略同一形状及び略同一面積に設定されている、ことを特徴とする。
【０００８】
請求項４の発明に係るユニット建物は、複数の建物ユニットを横置き状態で据付けると共に建物高さ方向に積み上げて複数階建てに構築されたユニット建物本体と、このユニット建物本体の側方に隣接して配置されると共に下端部に床を備え、かつ前記横置き状態の建物ユニットの単体の高さを基準にして非整数倍となる高さにユニット高さが設定された縦置きユニットと、を有することを特徴とする。
【０００９】
請求項５の発明に係るユニット建物は、請求項１乃至請求項４のいずれか一項に記載の発明において、前記縦置きユニットの下端部の床又は中間床は、ユニット建物本体の天井と床との略中間位置又はユニット建物本体を構成する建物ユニットの天井と床の略中間位置に配置されていることを特徴とする。
【００１０】
請求項６の発明に係るユニット建物は、請求項１乃至請求項５のいずれか一項に記載の発明において、前記縦置きユニットの下端部に配置された床はユニット建物本体における横置き状態の下階側の建物ユニットの床よりも建物上方側へ離間した位置に配置されており、当該縦置きユニットの床の下方には収納スペースが設けられている、ことを特徴とする。
【００１１】
請求項７の発明に係るユニット建物は、請求項１乃至請求項６のいずれか一項に記載の発明において、前記縦置きユニットは、ユニット建物本体の側面に片持ち支持されている、ことを特徴とする。
【００１２】
請求項１記載の本発明によれば、複数の建物ユニットを横置き状態で据付けると共に建物高さ方向に積み上げることにより、複数階建てのユニット建物本体が構築される。
【００１３】
ここで、本発明では、ユニット建物本体の側方に隣接して横置き状態の建物ユニットの単体の高さよりも高く構成された縦置きユニットを配置し、更にユニット建物本体の床の高さと異なる任意の高さに床を設置したので、縦置きユニット内を居室スペースとして利用し、縦置きユニットの床より下の外部スペースを駐車スペース等として利用するといったことが可能となる。
【００１４】
請求項２記載の本発明によれば、複数の建物ユニットを横置き状態で据付けると共に建物高さ方向に積み上げることにより、複数階建てのユニット建物本体が構築される。
【００１５】
ここで、本発明では、ユニット建物本体の側方に隣接して横置き状態の建物ユニットの単体の高さよりも高く構成された縦置きユニットを配置し、更にユニット建物本体の床の高さと異なる任意の高さに中間床を設置したので、中間床が縦置きユニットの仕切り材となる。従って、中間床の上方スペースを居室スペースとし、中間床の下方スペースを収納スペースとして利用するといった建物プランに応じたスペースの使い分けが可能となる。また、例えばユニット建物本体の床の高さよりも高い位置に中間床を設置すれば、中間床よりも上のスペースをロフトや小屋裏収納スペースとして利用し、中間床よりも下のスペースを居室スペースとして利用するといったことも可能となる。
【００１６】
請求項３記載の本発明によれば、縦置きユニット内に設置された中間床が、縦置きユニットの上面及び下面の少なくとも一方と略同一形状及び略同一面積に設定されているので、部材の共通化を図ることができる。
【００１７】
請求項４記載の本発明によれば、複数の建物ユニットを横置き状態で据付けると共に建物高さ方向に積み上げることにより、複数階建てのユニット建物本体が構築される。
【００１８】
ここで、本発明では、下端部に床を備えた縦置きユニットをユニット建物本体の側方に隣接して配置すると共に、当該縦置きユニットの高さを横置き状態の建物ユニットの単体の高さを基準として非整数倍となる高さにユニット高さを設定したので、例えば、縦置きユニットの上端部（天井）をユニット建物本体の上端部から下げて、北側斜線等の制限に対応することが可能となる。
【００１９】
請求項５記載の本発明によれば、縦置きユニットの下端部の床又は中間床が、ユニット建物本体の天井と床との略中間位置又はユニット建物本体を構成する建物ユニットの天井と床の略中間位置に配置されているので、当該床又は中間床を例えばユニット建物本体側に設置された階段の踊場として利用することができる。
【００２０】
請求項６記載の本発明によれば、縦置きユニットの下端部に配置された床をユニット建物本体における横置き状態の下階側の建物ユニットの床よりも建物上方側へ離間した位置に配置し、縦置きユニットの床の下方に収納スペースを設けたので、かかる収納スペースを例えば駐車スペースとして利用することができる。
【００２１】
請求項７記載の本発明によれば、縦置きユニットがユニット建物本体の側面に片持ち支持されているので、例えば傾斜地に面して縦置きユニットを配置するといったことが可能となる。
【発明の効果】
【００２２】
以上説明したように、本発明に係るユニット建物は、縦置きユニットを用いて多彩なプランニングを実現することができるという優れた効果を有する。
【発明を実施するための最良の形態】
【００２３】
〔第１実施形態〕
以下、図１を用いて、本発明に係るユニット建物の第１実施形態について説明する。
【００２４】
図１には、本実施形態に係るユニット建物１０の要部が拡大して示されている。この図に示されるように、本実施形態に係るユニット建物１０では、ユニット建物本体１２の側方に隣接して縦置き状態で使用される縦置きユニット１４が配置されており、更にその内部に中間床１６が配設されている点に特徴がある。
【００２５】
具体的に説明すると、ユニット建物本体１２は、一階部分１８と二階部分２０とを含んで構成されている。一階部分１８は、箱形の建物ユニット２２を横置き状態とし、図示しない基礎上に必要個数分だけ隣接して配置し、相互に連結することにより構成されている。二階部分２０は、一階部分１８上に必要個数分の建物ユニット２２を同じく横置き状態で載置して上下左右に相互に連結することにより構成されている。
【００２６】
上記の如くして構築されたユニット建物本体１２の任意の側面（この実施形態では、上下に隣接して配置された建物ユニット２個分の妻側の側面）に、ユニット建物１０の高さ方向に長い縦置きユニット１４が隣接して配置され横方向に連結されている。
【００２７】
この縦置きユニット１４は単独で一つのユニットを構成しており、一階部分１８の建物ユニット２２の床面２４から二階部分２０の建物ユニット２２の天井面２６までの高さを有している。つまり、縦置きユニット１４は、横置き式の建物ユニット２２の高さの２倍の高さを有していることになる。
【００２８】
また、縦置きユニット１４は、４本の柱２８と天井大梁３０と床大梁３２とによって骨組が構成されており、面としては天井面３４及び床面３６並びに３つの外側面３８と１つの内側面４０とを有している。なお、内側面４０がユニット建物本体１２との接続面となる。
【００２９】
さらに、上記縦置きユニット１４の高さ方向の所定位置には、中間床１６が設置されている。中間床１６は、ユニット建物本体１２の床（一階部分１８の建物ユニット２２の床面２４及び二階部分２０の建物ユニット２２の床面２４）と異なる高さに設置されており、より具体的には二階部分２０の建物ユニット２２の床面２４と天井面２６との中間に設置されている。この中間床１６が設置されたことにより、縦置きユニット１４の内部スペースは中間床１６よりも上方側の上方スペース４２と、中間床１６よりも下方側の下方スペース４４とに二分されている。
【００３０】
なお、中間床１６は４本の柱２８に緊結されている。例えば、この実施形態のように中間床１６の四隅に柱２８に接合するための欠損部４６を形成し、この欠損部４６にアングル形状の連結部材を予め設けておき、柱２８側とボルト・ナットで接合するといった構成や、柱２８の所定位置に中間床１６が載置可能なブラケットを予め溶接しておき、このブラケットに中間床の床大梁を載せてボルト・ナットで接合するといった手法等が適用可能である。
【００３１】
また、中間床１６は、縦置きユニット１４の床面３６、天井面３４の双方と略同一形状及び略同一面積に設定されている。さらに、上述した中間床１６のユニット建物本体１２側の縁部には、上方スペース４２をロフトとして使用すべく、ユニット建物本体１２の二階部分２０の建物ユニット２２内に設置された短い階段４８が接続されている。
【００３２】
（作用・効果）
次に、本実施形態の作用並びに効果について説明する。
【００３３】
上記構成の本実施形態では、ユニット建物本体１２の側方に隣接して横置き状態の建物ユニット２２の単体の高さよりも高く構成（本実施形態では、建物ユニット２個分の高さに設定）された縦置きユニット１４を床面を揃えて配置し、更にユニット建物本体１２の床の高さと異なる任意の高さに中間床１６を設置したので、中間床１６が縦置きユニット１４の内部スペースの仕切り材となる。従って、例えば、中間床１６の上方スペース４２をロフトとして使用し、下方スペース４４を居室スペースとして利用することができる。つまり、縦置きユニット１４を設置することで、ユニット建物本体１２の外部に新たな用途のスペースを簡単に増設することができる。その結果、本実施形態によれば、縦置きユニット１４を用いて多彩なプランニングを実現することができる。
【００３４】
なお、上方スペース４２はロフト以外にも小屋裏収納スペースとして利用してもよいし、下部スペース４４を玄関ホールとして利用してもよい。
【００３５】
また、本実施形態では、中間床１６が縦置きユニット１４の床面３６、天井面３４と略同一形状及び略同一面積に設定されているため、部材の共通化を図ることができる。
【００３６】
〔第２実施形態〕
次に、図２を用いて、本発明に係るユニット建物の第２実施形態について説明する。なお、前述した第1実施形態と同一構成部分については、同一番号を付してその説明を省略する。
【００３７】
図２に示されるように、この第２実施形態に係るユニット建物５０では、縦置きユニット５２の高さがユニット建物本体１２の建物ユニット２２の１個分の高さよりも高くかつ２個分の高さよりも低い所定高さ（即ち、横置き状態の建物ユニット２２の単体の高さを基準として非整数倍となる高さ）に設定されている点に特徴がある。なお、縦置きユニット５２の床面３６の高さは一階部分１８の建物ユニット２２の床面２４の高さに揃えられている。また、中間床１６は、一階部分１８の建物ユニット２２の床面２４と天井面との中間に設置されている。
【００３８】
また、縦置きユニット５２が接続される上下の建物ユニット２２は高さ方向に連通されており、折り返し階段５４が設置される階段スペースとされている。折り返し階段５４は階段上部５２Ａ及び階段下部５２Ｂによって構成されており、各々の階段幅は中間床１６の約半分とされている。また、階段上部５２Ａの下端部及び階段下部５２Ｂの上端部は、中間床１６にそれぞれ接続されている。
【００３９】
（作用・効果）
上記構成のユニット建物５０によれば、中間床１６を折り返し階段５４の踊り場として利用することができる。また、中間床１６の下方スペース４４は収納スペースとして利用することもできる。
【００４０】
また、このユニット建物５０では、縦置きユニット５２の上端部（天井面３４）をユニット建物本体１２の上端部（二階部分２０の天井面２６）よりも低くすることができるので、北側斜線等の制限に対応することが可能となる。
【００４１】
従って、本実施形態に係るユニット建物５０によっても、縦置きユニット５２を用いて多彩なプランニングを実現することができる。
【００４２】
〔第３実施形態〕
次に、図３を用いて、本発明に係るユニット建物の第３実施形態について説明する。なお、前述した第1実施形態等と同一構成部分については、同一番号を付してその説明を省略する。
【００４３】
図３に示されるように、この第３実施形態に係るユニット建物６０では、縦置きユニット６２の高さがユニット建物本体１２の建物ユニット２２の１個分の高さよりも高くかつ２個分の高さよりも低い所定高さ（即ち、横置き状態の建物ユニット２２の単体の高さを基準として非整数倍となる高さ）に設定されている。この点は、前述した第２実施形態と同様である。
【００４４】
しかし、このユニット建物６０では、縦置きユニット６２の天井面３４の高さが二階部分２０の建物ユニット２２の天井面２６の高さに揃えられている。このため、縦置きユニット６２の床面３６は一階部分１８の建物ユニット２２の床面２４よりも高い位置にあり、ユニット建物本体１２の一階部分１８の床面２４から浮いた位置にある。なお、一階部分１８の建物ユニット２２の床面２４と縦置きユニット６２の床面３６とは階段６４によって接続されている。
【００４５】
また、このユニット建物６０では、前述した第１実施形態及び第２実施形態で用いた中間床１６は、設置されていない。従って、縦置きユニット６２内に縦長の大きな内部スペース６６が形成されている。
【００４６】
さらに、上述した縦置きユニット６２は、ユニット建物本体１２の側面に片持ち支持されている（オーバーハング構造が採用されている）。
【００４７】
（作用・効果）
上記構成のユニット建物６０によれば、縦置きユニット６２の上端部（天井面３４）をユニット建物本体１２の二階部分２０の天井面２６に揃えて、縦置きユニット６２の床面３６が基礎地盤６８から浮くように配置したので、即ち、縦置きユニット６２をユニット建物本体１２の側面に片持ち支持させたので、傾斜地６９に面して縦置きユニット６２を配置するといったことが可能となる。つまり、本実施形態に係るユニット建物６０によれば、基礎地盤６８に隣接して傾斜地６９が存在する場合にも、柔軟に対応することができる。また、縦置きユニット６２の内部スペース６６は、居室スペース等として活用することができる。
【００４８】
従って、本実施形態に係るユニット建物６０によっても、縦置きユニット６２を用いて多彩なプランニングを実現することができる。
【００４９】
〔第４実施形態〕
次に、図４を用いて、本発明に係るユニット建物の第４実施形態について説明する。なお、前述した第1実施形態等と同一構成部分については、同一番号を付してその説明を省略する。
【００５０】
図４に示されるように、この第４実施形態に係るユニット建物７０では、縦置きユニット７２の高さがユニット建物本体１２の建物ユニット２２の１個分の高さよりも高くかつ２個分の高さよりも低い所定高さ（即ち、横置き状態の建物ユニット２２の単体の高さを基準として非整数倍となる高さ）に設定されている。この点は、前述した第３実施形態と同様である。但し、この実施形態の縦置きユニット７２の高さは第３実施形態で用いた縦置きユニット６２よりも更に短くなっている。このため、この実施形態では、縦置きユニット７２の下方に比較的大きな収納スペース７４が形成されている点に大きな特徴がある。
【００５１】
なお、このユニット建物７０においても前述した第３実施形態と同様に縦置きユニット７２内に中間床１６は設置されていない。また、縦置きユニット７２の床面３８は一階部分１８の建物ユニット２２の床面２４と天井面２６との間に位置されているため、一階部分１８の建物ユニット２２には、折り返し階段５４が設置されている。
【００５２】
（作用・効果）
上記構成のユニット建物７０によれば、縦置きユニット７２の上端部（天井面３４）をユニット建物本体１２の二階部分２０の天井面２６に揃えて、縦置きユニット６２の床面３６が基礎地盤６８から浮くように配置したので、縦置きユニット７２の下方に大きな収納スペース７４が形成される。この収納スペース７４は、駐車スペースとして活用することができる。
【００５３】
従って、本実施形態に係るユニット建物７０によっても、縦置きユニット７２を用いて多彩なプランニングを実現することができる。
【００５４】
〔第５実施形態〕
次に、図５を用いて、本発明に係るユニット建物の第５実施形態について説明する。なお、前述した第1実施形態等と同一構成部分については、同一番号を付してその説明を省略する。
【００５５】
図５に示されるように、この第５実施形態に係るユニット建物８０では、縦置きユニット８２の高さがユニット建物本体１２の建物ユニット２２の２個分の高さより若干高い所定高さ（即ち、横置き状態の建物ユニット２２の単体の高さを基準として非整数倍となる高さ）に設定されている。
【００５６】
なお、このユニット建物８０においても前述した第３実施形態と同様に縦置きユニット８２内に中間床１６は設置されていない。その代わりに、縦置きユニット８２の内部スペースには、予め工場生産された昇降機ユニット８４が設置されている。昇降機ユニット８４は、昇降通路８６と、この昇降通路８６内を昇降可能とされた自動昇降機８８と、この自動昇降機８８を駆動させる駆動ユニット９０と、によって構成されている。駆動ユニット９０は、縦置きユニット９２の高さがユニット建物本体１２の高さよりも若干高く設定されていることを利用して、上端部の突出部分９２に設置されるようになっている。
【００５７】
（作用・効果）
上記構成のユニット建物８０によれば、縦置きユニット８２の内部スペースを昇降機ユニット８４の設置スペースとして利用したので、高齢者等が住むのに好適なユニット建物８０が得られる。従って、本実施形態に係るユニット建物８０によっても、縦置きユニット８２を用いて多彩なプランニングを実現することができる。
【００５８】
〔本実施形態の補足説明〕
以上説明した各実施形態では、一般住宅に対して本発明を適用したが、これに限らず、他の用途（商業的用途、工業的用途、農業的用途、福祉施設・公共施設等の非営利目的の行政的用途を含む）の建物に対して本発明を用いてもよい。
【００５９】
また、第１実施形態及び第２実施形態では、中間床１６を縦置きユニット１４、５２内に一枚のみ設置したが、これに限らず、二枚以上設置するようにしてもよい。例えば、中間床を二枚設置した場合には、縦置きユニットの内部スペースを三分割することができ、収納スペースの拡充を図ることができる。
【図面の簡単な説明】
【００６０】
【図１】第１実施形態に係るユニット建物の要部を示す斜視図である。
【図２】第２実施形態に係るユニット建物の要部を示す斜視図である。
【図３】第３実施形態に係るユニット建物の要部を示す立面図である。
【図４】第４実施形態に係るユニット建物の要部を示す立面図である。
【図５】第５実施形態に係るユニット建物の要部を示す立面図である。
【符号の説明】
【００６１】
１０      ユニット建物
１２      ユニット建物本体
１４      縦置きユニット
１６      中間床
１８      一階部分
２０      二階部分
２２      建物ユニット
２４      床面
２６      天井面
３４      天井面
３６      床面
４２      上方スペース
４４      下方スペース
５０      ユニット建物
５２      縦置きユニット
６０      ユニット建物
６２      縦置きユニット
６６      内部スペース
６９      傾斜地
７０      ユニット建物
７２      縦置きユニット
７４      収納スペース
８０      ユニット建物
８２      縦置きユニット
【図１】
2007255070.tif 000003
【図２】
2007255070.tif 000004
【図３】
2007255070.tif 000005
【図４】
2007255070.tif 000006
【図５】
2007255070.tif 000007